(57)【要約】【課題】標準電波を受信して時刻修正する電波時計であって、電波受信障害が少なく、しかも金属感のある時計を提供する。【解決手段】電波時計は非電導性材料で構成された胴３０と裏蓋３１と風防３２よりなるケースと、ケース内に収納されたアンテナ３８とを有し、ケースの一部が電導性材料の外装部４７で覆われている。非電導性の胴を採用したので、アンテナの受信障害が発生しにくい。また、外装部には金属を採用できるので、電波時計の外観に金属感を付与できる。【選択図】　　　図４
2004004010.tif 000002
【特許請求の範囲】
【請求項１】
非電導性部材で構成され、アンテナ及び時計装置を内蔵するアンテナ収納体と、
アンテナ収納体の外側に固定された、電導性材料の外装部と、
を備える電波時計。
【請求項２】
請求項１に記載の電波時計であって、
外装部の厚さがアンテナ収納体より薄い電波時計。
【請求項３】
請求項１に記載の電波時計であって、
アンテナが磁芯部材と磁芯部材に巻かれたコイルとよりなる電波時計。
【請求項４】
請求項１から３のいずれかに記載の電波時計であって、
アンテナ収納体が、アンテナ及び時計装置を内蔵する腕時計ケースである電波時計。
【請求項５】
請求項１から３のいずれかに記載の電波時計であって、
外装部が複数の部材からなる記載の電波時計。
【請求項６】
請求項１から３のいずれかに記載の電波時計であって、
外装部が、アンテナ収納体における胴の上面と側面を覆う電波時計。
【請求項７】
請求項３に記載の電波時計であって、
外装部が磁芯部材の軸線を含む水平面には配置されていない電波時計。
【請求項８】
請求項３に記載の電波時計であって、
外装部が磁芯部材の軸線の延長線上に配置されていない電波時計。
【請求項９】
請求項３に記載の電波時計であって、
アンテナ収納体を構成する複数の部品の少なくとも２つを互いに固定するネジが、磁芯部材の軸線の延長線上に配置されていない電波時計。
【請求項１０】
請求項４に記載の電波時計であって、
外装部が胴の上面を覆う電波時計。
【請求項１１】
請求項４に記載の電波時計であって、
外装部が胴の外側面を覆う電波時計。
【請求項１２】
請求項４に記載の電波時計であって、
アンテナが胴の下方寄りに配置された電波時計。
【請求項１３】
請求項１１に記載の電波時計であって、
外装部が磁芯部材の軸線の延長線上に開口部を有する電波時計。
【請求項１４】
請求項１１に記載の電波時計であって、
電波時計を身体に装着するためのバンド連結脚部が、外装部に連結された電波時計。
【請求項１５】
請求項１３に記載の電波時計であって、
開口部が外装部の外縁から切り欠けられて形成された電波時計。
【請求項１６】
請求項１３に記載の電波時計であって、
２つの開口部が軸線上で相対して配置される電波時計。
【請求項１７】
請求項１に記載の電波時計であって、
アンテナ収納体の外表面における、少なくとも外装部に覆われていない露出面に、装飾層が被覆される電波時計。
【請求項１８】
請求項１７に記載の電波時計であって、
装飾層が、金属感のある外観を呈するメタリック層である電波時計。
【請求項１９】
請求項１７、あるいは１８のいずれかに記載の電波時計であって、
装飾層が、塗装膜、湿式めっき被膜、乾式めっき被膜のうちから選ばれる、すくなくとも１つからなる電波時計。
【請求項２０】
請求項１７に記載の電波時計であって、
電導性の装飾層に環状電流が発生しないように、装飾層が環状に形成されないようにした電波時計。
【発明の詳細な説明】
【０００１】
【発明の属する技術分野】
本発明は、時刻情報を含む所定の電波を受信して時刻を修正する電波時計に関する。
【０００２】
【従来の技術】
標準電波等を受信する電子時計、すなわち時刻情報を含む標準電波（搬送波）を受信し、この電波から時刻情報を取り出すことにより、正確な時刻を得ることのできる電波時計はすでに知られている。この時刻情報を含む電波は、各国毎に周波数が異なり、例えば日本では郵政省の管轄下において、４０ｋＨｚの標準電波が発信されている。
図１は、このような電波時計の機能の概略を示す一例である。
この電波時計は、アンテナ１、電波時計受信機２、ＣＰＵ３、および表示駆動部４から構成される。その他図示していないが時分針または液晶等による表示部が含まれる。
【０００３】
アンテナが時刻情報を含む電波を受信する。そして、電波時計受信機が、アンテナで受信した電波を増幅検波することにより、電波から時刻情報を取り出して出力する。受信機から出力された時刻情報に基づき、ＣＰＵが現在時刻データを出力する。ＣＰＵから出力された現在時刻データに基づき、表示駆動部が表示部に現在時刻を表示する。
ＣＰＵに対して、たとえばリセット等の操作情報を入力するための入力装置５が備えられてもよい。
【０００４】
電波に含まれている時刻情報（タイムコード）は、６０秒周期のパルス信号であり、１秒ごとに、２００、５００、８００（ｍｓｅｃ）のいずれかの幅を有するパルスが１つ乗っている。これらパルスの組み合わせにより、６０秒で時刻情報が得られる。ＣＰＵ３は、受け取ったパルス信号から１秒ごとのパルスのパルス幅を読み取っていくことにより、時刻情報（現在時刻）を取得する。そして、ＣＰＵは、取得した時刻情報により、表示駆動部４を介して表示部における表示時刻を修正する。
よって、電波時計は、受信した時刻情報に基づき、表示時刻が所定間隔毎に修正されることにより、常に正確な時刻を表示できる。
【０００５】
このような電波時計として、アンテナ、電波時計受信機、ＣＰＵ、表示駆動部および表示部を、アンテナ収納体であるケースの中に収納した腕時計が、すでに提供されている。このケースの素材には、アンテナが電波を受信するために合成樹脂やセラミックなどの非電導性材料が主として用いられてきた。
即ち、金属などの電導材料からなるケース内部にアンテナを収納すると、アンテナからの磁界によって、金属ケースに起電力が発生して、ケースに電流が誘起される。その電流により磁界が乱れて、アンテナが標準電波を受信できなくなるほどに、アンテナの受信機能が低下してしまうからである。
【０００６】
しかしながら、このようなアンテナの受信障害を避けるため、合成樹脂製のケースを用いると、ケースの耐傷性、あるいは耐薬品性の低下をまねくばかりか、装身具としての腕時計に必要とされる高級感や美観も損なわれることになる。
このため、ケースに金属を用いた電波腕時計が提案されている。（たとえば、特許文献１参照）
【０００７】
図２は、ケースの一部に金属を用いた電波腕時計の構造の一例を示す。
この腕時計のケース１０は、胴１１と裏蓋１２と風防１３とから概略構成されている。図示しないバンドに連結された胴内部に、ムーブメント１４が公知の手段で配置されている。ムーブメントの上方には、時刻表示部である文字板１５と針１６が、同じく公知の手段で配置されている。そして、ムーブメントの下方で、かつ裏蓋の上方に位置して、磁気長波アンテナであるバーアンテナ１７が配置されている。このバーアンテナは、フェライト材からなる磁芯部材１８と、この磁芯部材に巻回されたコイル２０とよりなり、合成樹脂製の保持部材の上面に固定されている。
【０００８】
ムーブメント１４は、前述した電波時計受信機、ＣＰＵ、および表示駆動部を備え、導線２１によってバーアンテナ１７と電気的に導通される。従って、バーアンテナが受信した標準電波に基づいて、ムーブメントのＣＰＵが、表示駆動部における、図示しないギア機構を動作させて、表示部の針１６の位置を常に修正するように駆動する。
なお、ここで、上下方向とは、図２における上下を基準とする。
【０００９】
胴１１は導電材料で中空でない、即ちソリッド金属、たとえばソリッドステンレスからなる。胴の最上部には、非導電材料であるガラスからなる風防１３が、接着等の公知の手段で固定される。文字板１５は、非導電材料である合成樹脂やセラミックなどからなる。裏蓋１２は、胴１１に固定されたステンレスからなる環状の縁枠２２と、縁枠内に固定されたガラス２３とからなる。
このように、この腕時計は、ケースの上下面には非導電材料が視認されるものの、ケースの側面部分を金属で構成しているため、装身具としての高級感や美観を損なわないという利点がある。
【００１０】
【特許文献１】
特開２００１−３３５７１号公報
【００１１】
【発明が解決しようとする課題】
しかしながら、図２に示される腕時計は、ケースの胴に金属を採用しているため、金属部材のそばにアンテナを配置するという不利は避けられない。従って、ケースの全てを非導電材料で構成した場合に比較すれば、この腕時計のバーアンテナの受信性能は４０％近く低下してしまう。そのため、標準電波の送信局からの距離が遠い場所などのように、標準電波を受信しにくい環境下にあっては、この電波腕時計は、しばしば標準電波を受信できない。
【００１２】
また、バーアンテナの受信性能に障害が生じないように、金属胴の内壁とアンテナとの隙間を大きくすると、ケースが、手首に装着するには不釣り合いなほど、大きくなってしまうという問題がる。
本発明は、このような技術的課題に基づいてなされたもので、
第１の目的は、金属などの電導材料を外観として視認できるように構成するにも拘らず、時刻情報等、所定の情報を含んだ電波を良好に受信することのできる電波時計装置、信号受信装置を提供することにある。
【００１３】
また、第２の目的は、金属などの電導材料を外観として視認できるように構成し、しかも小型にできる電波時計装置、信号受信装置を提供することにある。
【００１４】
【課題を解決するための手段】
本発明の請求項１における電波時計は、非電導性部材で構成され、アンテナ及び時計装置を内蔵するアンテナ収納体と、アンテナ収納体の外側に固定された、電導性材料の外装部とよりなることを特徴とする。
この構成によれば、アンテナを収容するアンテナ収納体は、非電導性であり、アンテナ収納体の外側の少なくとも一部を覆う外装部が金属などの電導性である。よって、アンテナ収納体そのものが電導性材料である場合と比べ、アンテナと電導性材料との距離を大きくできるので、アンテナの受信障害が生じにくい。これにより、アンテナが良好に電波を受信できる電波時計を提供できる。
【００１５】
また、アンテナ収納体を大きくせずとも、アンテナと電導性材料との距離を大きくできるので、従来に比べてアンテナ収納体を小さくすることができる。
さらにまた、金属などの電導性の外装部により、電波時計に金属感のある外観が付与される。これにより、たとえば、あたかもアンテナ収納体がソリッドの金属であるように視認されるので、合成樹脂などの非電導性材料をアンテナ収納体に用いながらも、高級感や美観を損なわない。
なお、ここで、外装部とは、塗装膜やめっき膜などのようなコーティングではなく、アンテナ収納体と別体の部材を意味する。
また、外装部の導電性材料としては、金属材料、特に非磁性金属や低磁性金属を用いることが、アンテナの受信性能を損なわないためには好ましい。たとえば、外装部の金属材料として、金、銀、銅、黄銅、アルミニウムなどの非磁性金属を用いることができる。あるいは、ステンレスの中でも磁性の低いオーステナイト系ステンレスを用いることができる。あるいは、チタン、チタン合金であってもよい。
アンテナ収納体の非電導性材料としては、合成樹脂、ゴム、セラミックなどを用いることができる。たとえば、ＰＣ（ポリカーボネイト）やＡＢＳ（アクリル−ブタジエン−スチレン）などを用いることができる。
【００１６】
また、請求項２における電波時計は、外装部の厚さがアンテナ収納体より薄いことを特徴とする。
この構成によれば、電導性の外装部とアンテナとの間に、非電導性であるアンテナ収納体が外装部より厚く介在するため、電導性の外装部とアンテナとの距離を確実に大きくできる。よって、アンテナがさらに良好に電波を受信できる電波時計を提供できる。
外装部は、たとえばアンテナ収納体に被せられる金属の板材で形成できる。
請求項５によれば、外装部が複数の部材から構成されてもよい。
請求項６によれば、外装部が、アンテナ収納体における胴の上面と側面を覆う。
よって、アンテナ収納体における上面と側面は、外装部に覆われるため、電波時計に極めて金属感のある外観を付与できる。
【００１７】
請求項７によれば、外装部は磁芯部材の軸線を含む水平面には存在しないことが好ましい。
これにより、電導性の外装部に誘起される電流に起因して、アンテナの受信機能が劣化することを回避できる。
請求項８によれば、外装部は磁芯部材の軸線の延長線上には少なくとも存在しないことが好ましい。
【００１８】
請求項９によれば、アンテナ収納体を構成する複数の部品のうち、少なくとも２つを互いに固定するネジが、磁芯部材の軸線の延長線上には配置されない。
これにより、ネジが金属などの電導性材料からなる場合、ネジによるアンテナの受信障害を回避できる。
また、請求項１０における電波時計は、外装部が、アンテナ収納体における胴の上面を覆う。
この構成によれば、使用者にとって最も目につきやすいアンテナ収納体の上面に金属感のある外観が付与される。アンテナ収納体の側面や裏面は、外装部に覆われなくともよい。よって、電波時計に金属感のある外観を付与しつつ、アンテナを外装部から遠ざけて配置できるので、アンテナが良好に電波を受信できる電波時計を提供できる。
【００１９】
請求項１２によれば、外装部がアンテナ収納体における胴の上面を覆う場合、アンテナがアンテナ収納体の下方寄りに配置されれば、電導性の外装部とアンテナとの距離を広げることができる。
請求項１３によれば、これは外装部における磁芯部材の軸線の延長線上に開口部を設けることで達成される。
請求項１４によれば、電波時計を身体に装着するためのバンド部が、外装部に連結される。
これにより、バンド部から負荷される外力を、金属などの堅固な材料を採用できる外装部で受けることができる。
【００２０】
請求項１５によれば、開口部の内縁は閉じた図形を構成しないことが好ましい。なぜならば、開口部の内縁が閉じた図形を構成すると、開口部の周囲に誘起される電流が円周状のコイルを形成し、このコイルがアンテナの受信を著しく阻害するためである。外装部の縁から開口部へ通じる切り欠けを備えれば、開口部の内縁は開いた図形となり、このコイルの形成を回避できる。
請求項１６によれば、２つの開口部が軸線上にあって相対する。
【００２１】
また、請求項１７によれば、アンテナ収納体の外表面における、少なくとも外装部に覆われていない露出面には、装飾層が被覆されることが好ましい。この装飾層により、電波時計の美観がさらに向上する。この場合、装飾層は、アンテナ収納体の耐傷性、あるいは耐薬品性を改善する保護被膜として機能することが好ましい。
【００２２】
さらに、請求項１８によれば、この装飾層が、金属感のある外観を呈するメタリック層であると、外装部に覆われていない露出面も金属外観を呈するので、電波時計全体が金属材料から成るように視認される。よって、より高級感や美観のある電波時計が実現される。
装飾層は、アンテナ収納体の露出面のみに部分的に被覆してもよいが、外装部を取り付ける前に、アンテナ収納体の外表面全体に装飾層が被覆されてもよい。すると、装飾層は、アンテナ収納体に容易にかつ安価に形成される。
【００２３】
請求項１９によれば、この装飾層は、塗装、湿式めっき、あるいは乾式めっきなどの手法によって、アンテナ収納体に被覆され得る。
装飾層を塗装で形成する場合、たとえば、まず、ポリウレタン系ラッカーなどを含んでなるプライマーを施す。次いで、そのプライマー層の外側に、たとえば、有色のアクリル系ラッカーを塗布して、装飾層の色調を決定する有色層を形成する。最後に、有色層の外側に、たとえば透明、あるいは半透明で、かつ硬質なラッカーを塗装して保護層を形成すると、有色層の剥離を避け、かつ耐摩耗性を向上できるので好ましい。
この有色層の色調は、塗布するラッカーの色調を選択すれば、たとえばステンレス色調や金色色調など、所望の様々な色調にすることができる。ここで、有色層を形成するラッカーに、たとえば、メタリック顔料を含ませれば、装飾層に、金属感のある外観が付与される。メタリック顔料としては、たとえば、リン片状のアルミニウム粉、酸化チタンや酸化鉄などの金属酸化物によって被覆された雲母片粒子、グラファイト粒子、あるいはガラスフレークの表面を金属で被覆した粒子などを含むものを用いることができる。
【００２４】
装飾層を湿式めっき法で形成する場合、たとえば、まず、射出成形された合成樹脂製のアンテナ収納体を、脱脂処理によるアルカリ溶液で、その表面から油、しみ、汚れなどを除去する。次いでエッチング処理により、その表面を粗面化し、水にぬれ易い新水性にし、かつ極性化を図って表面を活性化する。そして、その表面を洗浄し、キャタリスト処理によりその表面に触媒金属を吸着させ、再度その表面を洗浄した後、アクセレータ処理により触媒金属を析出させて活性化を図り、表面を洗浄する。これにより、その表面にメッキが着き易くなる。
この後、無電解めっき処理により、この表面に析出された触媒金属に、たとえばニッケルメッキを施す。この後、ニッケルメッキの表面に、電解メッキにより、たとえば銅メッキ層を形成し、緩衝性をもたせるとともに、表面の平滑化を図る。このように、まずアンテナ収納体の表面に下地メッキ層が形成される。
この後、下地メッキ層の外側に、電解メッキにより、たとえばパラジウムメッキメッキ層を形成すれば、ステンレスの色調に近い銀色を呈する装飾層がアンテナ収納体の外表面に被覆される。
あるいは、下地メッキ層の外側に、電解メッキにより、たとえば金メッキ層、あるいは金−ニッケル合金などの金合金めっき層を形成すれば、金色を呈する装飾層がアンテナ収納体の外表面に被覆される。
【００２５】
装飾層を乾式めっきで形成する場合、たとえばスパッタリングなどの乾式めっき法によって、ステンレス鋼、たとえば磁性の低いオーステナイト系ステンレスＳＵＳ３０４をターゲットに用いて、装飾層としてステンレス鋼被膜をアンテナ収納体の外表面に被覆できる。すると、ステンレス色調を呈する装飾層がアンテナ収納体に被覆される。
あるいは、金色を呈する金被膜、あるいは金合金被膜を装飾層としてアンテナ収納体の外表面に被覆できる。この場合、金合金被膜としては、金−鉄合金や金−チタン合金などを用いることができるが、アンテナの受信性能を低下させないためには、磁性の低い金−チタン合金が好ましい。
乾式めっき法としては、たとえばスパッタリング法、アーク法、イオンプレーティング法などが採用できる。
また、このような乾式めっき法による装飾層は、金属が柱状の組識を成すように被覆される薄膜なので、この装飾層には干渉磁界を発生させる環状電流が発生しにくいという利点があるが、この装飾層にも前述のスリット部を設けることができる。
【００２６】
このように、アンテナ収納体の装飾層は、塗装層、湿式めっき層、あるいは乾式めっき層として形成できるが、これら塗装層、湿式めっき層、あるいは乾式めっき層の少なくとも２つを組み合わせて形成してもよい。
【００２７】
ただし、請求項２０によれば、電導性の装飾層に環状電流が発生しないように、装飾層が環状に形成されないようにすることが好ましい。すなわち、このような湿式メッキ法により形成された装飾層は、導電性のある導電層を形成するので、特にアンテナ収納体が腕時計ケースにおけるベゼルや胴のような環状の枠体である場合は、かかる導電層に環状電流が誘導されやすい。すると、環状電流により干渉磁界が発生し、この干渉磁界がアンテナの受信を混乱させやすい。よって、湿式メッキ法による装飾層は、環状にならないように形成されることが好ましい。そのために、装飾層の一部には、装飾層が形成されないスリット部が設けられることが好ましい。すると、ベゼルや胴のような環状の枠体に被覆された電導性の装飾層が環状にならずに略Ｃ型になるので、もはや装飾層には環状電流は発生しない。
【００２８】
このようなスリット部を形成するには、湿式メッキ法による装飾層の形成に先立って、あらかじめスリット部を形成したい所定の部分にマスクをしておけばよい。このマスクには、たとえば、酸とアルカリに強く、電解剥離が可能なマスキングインクが用いられる。マスクを形成するマスキング処理には、たとえばマスキングインクを筆で塗布する手塗り法などを採用できる。すると、マスクされた部分には装飾層が形成されないため、このマスクされた部分がスリット部として形成される。あるいは、マスクを剥離してアンテナ収納体の外表面を露呈した場合、装飾層が形成されていない、露呈された外表面の部分がスリット部となる。
【００２９】
なお、アンテナ収納体に被せられる外装部の外表面にも、同じように、塗装、湿式めっき法、あるいは乾式めっき法によって、装飾層が形成されてもよい。
たとえば、外装部がステンレスの場合、イオンプレーティングやスパッタリングなどの乾式めっき法によって、外装部の外表面に金色を呈する金被膜、あるいは金合金被膜を装飾層として被覆できる。この場合も同様に、金合金被膜としては、金−鉄合金や金−チタン合金などを用いることができるが、アンテナの受信性能を低下させないためには、磁性の低い金−チタン合金が好ましい。
たとえば、外装部に磁性の低い黄銅を採用し、かつスパッタリングなどの乾式めっき法によって、磁性の低いオーステナイト系ステンレスＳＵＳ３０４をターゲットに用いて、外装部の外表面に装飾層を被覆できる。すると、黄銅の外装部の外表面に、装飾層としてステンレス色調のステンレス鋼被膜が被覆される。
【００３０】
また、アンテナ収納体と外装部に、湿式めっき法、あるいは乾式めっき法によって、装飾層が形成される場合、装飾層に含まれる金属は、非磁性金属であることが、アンテナの受信機能を低下させないために好ましい。たとえば、装飾層に含まれる金属としては、金、銀、銅、アルミニウム、マグネシウム、亜鉛、あるいはそれらの合金の中から選ばれる、少なくとも１つであることが好ましい。
ここで、アンテナ収納体と外装部それぞれに装飾層を形成する場合、それぞれの装飾層の色調を異ならせることで、電波時計に様々な美観が付与される。たとえば、アンテナ収納体がステンレス色調を呈し、外装部が金色色調を呈する電波時計が提供される。
【００３１】
【発明の実施の形態】
（実施形態１）
図３は本発明の第１実施形態を示す分解斜視図、図４は腕時計の１２時６時線に沿う断面図、図５は３―９時線に沿う断面図である。
アンテナ収納体としての腕時計ケース１０は、胴３０、裏蓋３１、風防３２、および外装部４７を含む。ケース１０の内部には、時計装置を制御するムーブメント３７が内蔵される。
胴３０及び裏蓋３１は、合成樹脂、ゴム、セラミック等の電気的非電導性材料で作られる。風防３２は、非電導性材料のガラスで作られ、胴３０の段部３０ａにパッキン３９を介して固定される。
【００３２】
図４、図５に示すように、胴３０は円筒状を成す環状の枠体であり、通常の腕時計と同様に、両端にバンド連結脚部３３及び竜頭３４が突出している。バンド連結脚部それぞれには、ばね棒などの連結ピンによって、バンドが連結される。
ケース内には時刻表示部としての文字板３５、指針３６、ムーブメント３７、バーアンテナ３８が収納されている。文字板３５は合成樹脂、セラミック等の非電導性材料からなる。文字板３５は、胴３０の内壁に形成された、内側に張り出した環状の段部４０と、ムーブメント３７の上面に挟まれて支持されている。
ムーブメント３７の上部は径の大きい円筒で、下部が径の小さい円筒小径を成す。よって、ムーブメント３７の上部が径方向に沿って外方に張り出し、その張り出した上部の下面に広い段部４１が形成される。
裏蓋３１は環状突起４３を有し、ネジ４２でパッキン４６を介して胴に固定され、環状突起４３がムーブメント３７の段部４１を押し上げる。よって、ムーブメントと文字板が胴３０の段部４０に押圧され、胴３０内に固定される。
バーアンテナ３８は磁芯部材４４とそれに巻かれたコイル４５とよりなり、竜頭３４と平行に広い段部４１の下に、水平面方向に沿って配置される。すなわち、バーアンテナはケース内の下部の低位置に収納されている。
ここで、上下とは、図面の上下を基準とする。また、水平面方向とは、図面の左右方向を言う。
【００３３】
胴３０はムーブメント３７、文字板３５、針３６及び風防３２を収納する為、バーアンテナの軸線方向を含み、水平面方向に大きな厚みを有している。
本発明によれば、胴の上面に環状の外装部４７が多数のネジ４８により固定されている。外装部４７はステンレス、黄銅、チタン、チタン合金等の電導性材料で薄く作られる。外装部４７は、胴３０の上面の形状に沿って上部平面４７ａ、斜面４７ｂ及び下部平面４７ｃよりなる。外装部４７の下部平面４７ｃを貫通し、胴３０に螺合されるネジ４８によって、外装部４７は胴３０に固定される。そして、外装部４７はバーアンテナ３８の軸線ＡＸを含む水平面内には配置されていない。また外装部は軸線ＡＸの延長線上にも配置されていない。
【００３４】
上記のように電導性金属外装部４７は厚みが薄く胴３０の上面の一部のみに設けあれ、ケースの大部分は非電導性材料で構成され、バーアンテナ３８は外装部４７より最も離れた位置に配置され、しかもバーアンテナの軸線ＡＸを含む水平面、及び延長線上には外装部は存在しないので、受信障害は最小限に抑えられ、時刻を確実に修正することができる。
尚、時刻表示部は液晶によるデジタル表示でもよい。またここで表現している外装部は、塗装膜やめっき被膜などのコーティングではなく、アンテナ収納体とは別体の部材を意味する。
本実施形態では各部の接合を導電性のある金属製ネジで行っているが、硬質な合成樹脂製のネジや接着剤による接合にすれば、更に受信障害を避けることができる。
【００３５】
なお、この実施形態１では、アンテナ収納体である胴３０の外表面全体に、メタリック顔料を含む塗装により、金属感のあるステンレス色調を呈する装飾層を形成した。また、この胴３０に、磁性の低いオーステナイト系ステンレスから成る外装部４７を取り付けた。よって、この実施形態における電波時計は、全体に金属感のあるステンレス色調を呈した。
【００３６】
（実施形態２）
図６は本発明の第２実施形態を示す分解斜視図、図７は第２外装部を示す斜視図、図８は１２−６時線に沿う断面図、図９は３−９時線に沿う断面図、図１０は側面図、図１１は参考例を示す側面図、図１２は竜頭の軸線に沿う切断平面図である。
本実施形態による腕時計は、胴５０、裏蓋５１、風防５２を備えるケースが、２組の第１外装部５３、第２外装部５４を有することを特徴とする。
【００３７】
胴５０及び裏蓋５１は、合成樹脂、ゴム、セラミック等の電気非電導性材料で作られる。風防５２は非電導性材料のガラスで作られ、パッキン４９を介して胴５０の段部５０ａに固定される。
図６に示すように、胴５０は円筒状で竜頭５６が突出している。ケース内には図８、図９に示すように文字板５７、指針５８、ムーブメント６０、バーアンテナ６１が収納されている。文字板５７は合成樹脂、セラミック等の非電導性材料からなる。実施形態１と同じく、ムーブメント６０は、その径の大きい円柱状の上部と径の小さい円柱状の下部が形成する、下方を向いた段部６３を備える。裏蓋５１は環状突起６６を有し、ネジ６４でパッキン６５を介して胴に固定される。環状突起６６がムーブメント６０の段部６３を押し上げ、よってムーブメントと文字板は胴５０の段部５０ｂに押圧され、胴の内側に固定される。
【００３８】
バーアンテナ６１は磁芯部材６７とそれに巻かれたコイル６８とよりなる。図１２に示すように、バーアンテナ６１は、竜頭５６と平行に水平面方向に沿ってムーブメント６０の広い段部６３の下に配置される。よって、バーアンテナはケース内の下部の低位置に収納される。
第１及び第２外装部５３，５４は、ステンレス、黄銅、チタン、チタン合金等の電導性の材料で薄く作られる。
【００３９】
第１外装部５３は、図６、図７に示すように、環状円板形状で、上部は外方に下降する斜面５３ａと、下面に段部５３ｂを有する。第１外装部５３は、胴５０の上面に形成された環状突部の平面部５０ｄに、両面接着テープ５３ｅを介して接着されている。
一方、第２外装部５４は、円筒状で胴の側面を覆う側面覆い部５４ａと上部の内方突出係合部５４ｂとよりなる。係合部５４ｂの上面は、第１外装部５３の斜面５３ａと同じ傾斜の斜面となっているので、腕時計の外観が改善される。
また、図６と８に示すように、第２外装部５４は、両端にバンド連結脚部７６が形成される。バンド連結脚部それぞれには、ばね棒などの連結ピンによって、バンドが連結される。
側面覆い部５４ａを貫通して胴５０の側面に螺合されるネジ７１により、第２外装部５４は胴５０に固定されている。また側面覆い部５４ａには竜頭５６が突出する開口部７３が形成されている。係合部５４ｂは胴５０の段部５０ｃに圧接係合している。
【００４０】
そして、本発明によれば、側面覆い部５４ａに一対の開口部７２が形成されている。この開口部７２は、第２外装部５４の下縁が切り欠かれて形成された切欠部７２ａを備える。開口部７２は、切欠部７２ａによって、第２外装部５４の下縁に向けて開口する。開口部７２は、図９と図１２に示すように、バーアンテナ６１の軸線ＡＸの延長線を中心として形成されている。また、導電性のある金属製ネジ６４及び７１も、軸線ＡＸの延長線上に配置されていない。また側面覆い部５４ａの径方向の厚さは薄く、胴５０の厚みは大きく、従って側面覆い部５４ａをバーアンテナ６１より大きく離している。
このようにバーアンテナ６１の軸線ＡＸ延長線上には金属物は全くなく非電導性の胴のみであり、胴の厚さは厚く、特に第２外装部５４の側面覆い部５４ａが大きく胴５０の側面を覆っているにも拘らず、受信障害を極めて少なくすることができる。
【００４１】
開口部７２には切欠部７２ａが形成されているので、この切欠部により第２外装部５４内に開口部７２を囲んで発生しようとする環状の電流の発生を防ぐことができる。
若し図１１に示すように閉じた円の開口部７７とすると、開口部７７の周囲に誘起される電流が円周状のコイルを形成し、このコイルがアンテナの受信を著しく阻害するので不適当である。
さらに、図に示すように、第１外装部５３と第２外装部５４とは、互いに接触しないように隔離されて胴５０に配置される。このように、外装部５３と５４とが、電気的に導通しないように絶縁されると、外装部５３と５４を跨ぐ環状電流が発生しないので、さらにアンテナの良好な受信が維持される。
【００４２】
なお、この実施形態２において、前述の装飾層に換えて、胴５０の外表面全体に、乾式メッキ法により、装飾層としてステンレス鋼被膜を形成した。この胴５０に、黄銅から成る外装部５３と５４を取り付けた。よって、この電波時計は、外装部５３と５４のみが金色色調を呈し、他の部分は金属感のあるステンレス色調を呈した。
【００４３】
（実施形態３）
この実施形態３は、実施形態２に記載した電波時計における、乾式めっき法による装飾層を、湿式めっき法による装飾層に換えただけであるので、装飾層以外の部品には、実施形態２と同じ番号を付した。
本実施形態では、環状の枠体である胴５０における、２本の連結脚部７６の間に位置する所定の部分にマスキングインクを塗布し、その後、胴５０の外表面に、湿式メッキ法により、装飾層としてパラジウムメッキを形成した。すると、胴５０の外表面におけるマスキングインクを塗布した部分以外に、ステンレス色調を呈したパラジウムメッキ被膜からなる装飾層８１が形成された。次いで、マスキングインクを胴５０から剥離し、胴５０の外表面を露出させた。この露呈した胴５０の外表面部分がスリット部８０として形成された。
【００４４】
図１３は、胴５０の縦断面を見せ、図１４は、スリット部が形成された部分の胴５０の縦断面を見せる。図１３と１４に見るように、スリット部８０は、胴５０の上面、外側の側面、下面、内側の側面に沿って、所定の幅をもった環状帯に形成される。よって、スリット部は、環状の胴５０に被覆された装飾層８１が環状の導電層を形成しないように、装飾層８１を分断する。これにより、アンテナの受信性能を低下させる干渉磁界を発生させる環状電流が装飾層に誘導されることがないので、良好なアンテナの受信性能が維持される。
【００４５】
この胴５０に、磁性の低いオーステナイト系ステンレスから成る外装部５３に、乾式めっき法によって、装飾層である金−チタン合金被膜を被覆して、胴５０に取り付けた。同じくオーステナイト系ステンレスから成る外装部５４は、装飾層を形成せずに、胴５０に取り付けた。よって、この電波時計は、外装部５３のみが金色色調を呈し、他の部分は金属感のあるステンレス色調を呈した。
【００４６】
なお、胴５０のスリット部は、胴５０に被せられた外装部５４に覆われて目立たない。かつ、連結脚部７６にバンドが連結されると、スリット部は、バンドによっても隠される。よって、スリット部８０によって、電波時計の美観が損なわれることはない。このように、スリット部８０は、電波時計の美観を損なわないように、胴５０における、視認されにくい箇所に設けることが好ましい。
また、この実施形態では、マスキングインクを剥離してスリット部８０を形成したが、マスキングインクを剥離せずに残存させ、それをスリット部としてもよい。
【００４７】
【発明の効果】
本発明によれば、アンテナを収容するアンテナ収納体が、非電導性であり、アンテナ収納体の外側の少なくとも一部を覆う外装部が金属などの電導性であるので、アンテナ収納体そのものが電導性材料である場合と比べ、アンテナと電導性材料との距離を大きくでき、電導性材料がアンテナの近傍に位置することに起因するアンテナの受信障害を少なくし、アンテナが良好に電波を受信できる電波時計を提供することができる。
【００４８】
また、金属などの電導性の外装部により、電波時計に金属感のある外観が付与でき、合成樹脂などの非電導性材料をアンテナ収納体に用いながらも、高級感や美観を損なうことはない。
【図面の簡単な説明】
【図１】電波時計の機能の概略を示すブロック図である。
【図２】ケースの一部に金属を用いた電波腕時計を示す断面図である。
【図３】本発明の第１実施形態を示す分解斜視図である。
【図４】腕時計の１２時６時線に沿う断面図である。
【図５】３―９時線に沿う断面図である。
【図６】第２実施形態を示す分解斜視図である。
【図７】第２外装部を示す斜視図である。
【図８】１２−６時線に沿う断面図である。
【図９】３−９時線に沿う断面図である。
【図１０】側面図である。
【図１１】参考例を示す側面図である。
【図１２】竜頭の軸線に沿う切断平面図である。
【図１３】第３実施形態を示す縦断面を含む斜視図である。
【図１４】第３実施形態を示す別の縦断面を含む斜視図である。
【符号の説明】
１　　　　　アンテナ
２　　　　　電波時計受信機
３　　　　　ＣＰＵ
４　　　　　表示駆動部
５　　　　　入力装置
１０　　　ケース
１１　　　胴
１２　　　裏蓋
１３　　　風防
１４　　　ムーブメント
１５　　　文字板
１６　　　針
１７　　　バーアンテナ
１８　　　磁芯部材
２０　　　コイル
２１　　　導線
２２　　　縁枠
２３　　　ガラス
３０　　　胴
３０ａ　段部
３１　　　裏蓋
３２　　　風防
３３　　　バンド連結脚部
３４　　　竜頭
３５　　　文字板
３６　　　指針
３７　　　ムーブメント
３８　　　バーアンテナ
３９　　　パッキン
４０　　　段部
４１　　　段部
４２　　　ネジ
４３　　　環状突起
４４　　　磁芯部材
４５　　　コイル
４６　　　パッキン
４７　　　外装部
４７ａ　上部平面
４７ｂ　斜面
４７ｃ　下部平面
４８　　　ネジ
４９　　　パッキン
５０　　　胴
５０ａ　段部
５０ｂ　段部
５０ｃ　段部
５０ｄ　平面部
５１　　　裏蓋
５２　　　風防
５３　　　第１外装部
５３ａ　斜面
５３ｂ　段部
５４　　　第２外装部
５４ａ　側面覆い部
５４ｂ　内方突出係合部
５６　　　竜頭
５７　　　文字板
５８　　　指針
６０　　　ムーブメント
６１　　　バーアンテナ
６３　　　段部
６４　　　ネジ
６５　　　パッキン
６６　　　環状突起
６７　　　磁芯部材
６８　　　コイル
７１　　　ネジ
７２　　　開口部
７２ａ　切欠部
７３　　　開口部
７６　　　バンド連結脚部
７７　　　開口部
【図１】
2004004010.tif 000003
【図２】
2004004010.tif 000004
【図３】
2004004010.tif 000005
【図４】
2004004010.tif 000006
【図５】
2004004010.tif 000007
【図６】
2004004010.tif 000008
【図７】
2004004010.tif 000009
【図８】
2004004010.tif 000010
【図９】
2004004010.tif 000011
【図１０】
2004004010.tif 000012
【図１１】
2004004010.tif 000013
【図１２】
2004004010.tif 000014
【図１３】
2004004010.tif 000015
【図１４】
2004004010.tif 000016